(57)【要約】【課題】フラップの支軸周りでの結露を確実に防止でき、しかも結露防止用断熱材の使用量を削減し、その貼り付け作業の省略化と簡素化、並びに低コスト化を実現できる空気調和機を提供することを目的とする。【解決手段】空気吹出し口１４に風向調整用のフラップ２３が配設され、該フラップ２３の支軸２５が吹出しグリル７の側壁２６に設けられている貫通孔２７に回転自在に支持されているとともに、フラップ支軸２５が吹出しグリル７の側方に設置されている駆動手段２８の駆動軸３０に連結され回動可能とされている空気調和機１において、吹出しグリル側壁２６と駆動手段２８が設置されている駆動手段設置部材２９との間に、フラップ支軸２５および駆動軸３０の外周を覆うリブ３１が設けられている。【選択図】図４
2010112627.tif 000002
【特許請求の範囲】
【請求項１】
温調空気の吹出し口に風向調整用のフラップが配設され、該フラップの支軸が吹出しグリルの側壁に設けられている貫通孔に回転自在に支持されているとともに、前記フラップ支軸が前記吹出しグリルの側方に設置されている駆動手段の駆動軸に連結され回動可能とされている空気調和機において、
前記吹出しグリル側壁と前記駆動手段が設置されている駆動手段設置部材との間に、前記フラップ支軸および前記駆動軸の外周を覆うリブが設けられていることを特徴とする空気調和機。
【請求項２】
前記リブは、前記吹出しグリル側壁に一体成形されていることを特徴とする請求項１に記載の空気調和機。
【請求項３】
前記リブは、前記吹出しグリル側壁に設けられている前記貫通孔の周縁から軸方向外方に前記駆動手段設置部材の側面に対して当接する位置まで延長されていることを特徴とする請求項１または２に記載の空気調和機。
【発明の詳細な説明】
【技術分野】
【０００１】
本発明は、温調空気の吹出し口に配設されている風向調整用の水平フラップが、その支軸を介して吹出しグリルの側壁に設けられている貫通孔に回転自在に支持されている空気調和機に関するものである。
【背景技術】
【０００２】
空気調和機では、熱交換器において温調された空気の室内への吹出し口に、風向を調整する水平フラップが配設されている。この水平フラップは、一般に吹出しグリルの側壁に設けられている貫通孔にフラップ支軸を介して回転自在に支持されており、該フラップ支軸が、吹出しグリルの側壁に直接あるいはその側方に駆動手段設置部材等を介して設置されているモータ等駆動手段の駆動軸に連結されることによって、フラップが回動可能とされている。
【０００３】
特許文献１には、吹出し口に回転自在に支持されている水平フラップの支軸を、モータ設置台に設置されているモータにより歯車群および伝達部を介して回動可能としたものが開示されている。また、特許文献２には、上下フラップの回転軸を吹出しグリルに回転自在に支持し、この回転軸を吹出しグリルに設置されている駆動モータに歯車列を介して連結することにより回動可能としたものが開示されている。更に、特許文献３には、吹出し口側板の外側に所定寸法を存してスイングモータ台を設け、このスイングモータ台に設置されているスイングモータの駆動軸に、吹出し口側板に支持されているフラップ支軸を連結部材、クランク機構を介して連結したものが開示されている。
【０００４】
【特許文献１】特開平３−２１１３５２号公報
【特許文献２】特開２００１−２０８４１５号公報
【特許文献３】特開平７−２６９９３１号公報
【発明の開示】
【発明が解決しようとする課題】
【０００５】
従来の空気調和機では、上記特許文献等に開示されている通り、水平フラップの支軸を吹出しグリルの側壁に設けられている貫通孔に回転自在に支持し、この支軸を吹出しグリル側壁あるいはその近傍に設けられているモータの駆動軸に連結してフラップを回動可能としている。このため、冷房時、モータ設置部近辺の暖かい空気がフラップ支軸を支持している貫通孔より流入し、これが冷風により冷却されているフラップ支軸の周りで冷やされることによって、結露が発生するという問題があった。
【０００６】
そこで、かかる結露を防止するため、吹出しグリル側壁の貫通孔周りやフラップ支軸あるいは駆動軸周りに断熱材を貼り付けて、結露を防いでいる。しかしながら、狭い領域に断熱材を貼り付ける作業は、非常にわずらわしく、また、断熱材の使用量が嵩むことからコストアップを招くという問題があった。さらに、特許文献３では、空気流路から離れた位置にモータや連結部材を設置することにより、モータや連結部材での結露を回避するようにしているが、スペースの確保が難しいのみならず、連結部材やフラップ支軸の周りに暖かい空気が流入することから、結露を確実に防止することは困難であった。
【０００７】
本発明は、このような事情に鑑みてなされたものであって、フラップの支軸周りでの結露を確実に防止でき、しかも結露防止用断熱材の使用量を削減し、その貼り付け作業の省略化と簡素化、並びに低コスト化を実現できる空気調和機を提供することを目的とする。
【課題を解決するための手段】
【０００８】
上記課題を解決するために、本発明の空気調和機は、以下の手段を採用する。
すなわち、本発明にかかる空気調和機は、温調空気の吹出し口に風向調整用のフラップが配設され、該フラップの支軸が吹出しグリルの側壁に設けられている貫通孔に回転自在に支持されているとともに、前記フラップ支軸が前記吹出しグリルの側方に設置されている駆動手段の駆動軸に連結され回動可能とされている空気調和機において、前記吹出しグリル側壁と前記駆動手段が設置されている駆動手段設置部材との間に、前記フラップ支軸および前記駆動軸の外周を覆うリブが設けられていることを特徴とする。
【０００９】
本発明によれば、フラップの支軸が回転自在に支持されている吹出しグリル側壁と駆動手段が設置されている駆動手段設置部材との間に、フラップ支軸および駆動手段の駆動軸の外周を覆うリブが設けられているため、吹出しグリル側壁と駆動手段設置部材との間に設けられているリブによって、その周辺の暖かい空気がフラップ支軸を支持している貫通孔へと流入するのを阻止することができる。これにより、冷房時、フラップ支軸周りに暖かい空気が流入することにより発生するフラップ支軸付近での結露と該結露水の室内への滴下を防止することができる。また、結露防止用の断熱材の貼り付けを不要とすることができるため、断熱材の削減とその貼り付け作業の省略化によりコスト低減を図ることができる。
【００１０】
さらに、本発明の空気調和機は、上記の空気調和機において、前記リブは、前記吹出しグリル側壁に一体成形されていることを特徴とする。
【００１１】
本発明によれば、リブが吹出しグリル側壁に一体成形されているため、リブを追設することによる部品数あるいは組み立て工数の増加を抑えることができ、従って、断熱材削減分に見合った組み立て作業の簡素化、省力化を図ることができる。また、フラップ支軸を支持している貫通孔への暖かい空気の流入隙間をなくすることができるため、結露の発生を確実に防止することができる。
【００１２】
さらに、本発明の空気調和機は、上述のいずれかの空気調和機において、前記リブは、前記吹出しグリル側壁に設けられている前記貫通孔の周縁から軸方向外方に前記駆動手段設置部材の側面に対して当接する位置まで延長されていることを特徴とする。
【００１３】
本発明によれば、リブが吹出しグリル側壁に設けられている貫通孔の周縁から軸方向外方に駆動手段設置部材の側面に対して当接する位置まで延長されているため、フラップ支軸および駆動軸の周りに形成されるリブとの間の隙間を最小限の微小隙間とすることができ、従って、フラップ支軸および駆動軸周りへの暖かい空気の流入による結露の発生を可及的に抑制することができる。
【発明の効果】
【００１４】
本発明によると、吹出しグリル側壁と駆動手段設置部材との間に設けられているリブによって、その周辺の暖かい空気がフラップ支軸を支持している貫通孔へと流入するのを阻止することができ、従って、冷房時、フラップ支軸周りに暖かい空気が流入することによって発生するフラップ支軸付近での結露と該結露水の室内への滴下を防止することができる。また、結露防止用の断熱材の貼り付けを不要とすることができるため、断熱材の削減とその貼り付け作業の省略化によりコスト低減を図ることができる。
【発明を実施するための最良の形態】
【００１５】
以下に、本発明にかかる実施形態について、図面を参照して説明する。
以下、本発明の一実施形態について、図１ないし図４を用いて説明する。
図１には、本発明の一実施形態に係る壁掛け形空気調和機の外観斜視図が示され、図２には、その縦断面図が示されている。
空気調和機１は、横長の直方体形状の筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００１６】
ベース３には、後述の室内熱交換器１７を構成する背面側熱交換器１７Ｄから流下するドレンを受ける背面側ドレンパン８と、後述するクロスフローファン（送風ファン）１８から吹出される空気の流路を形成する空気流路壁９と、冷媒配管類１０を収容する配管収容部１１等が一体に成形されている。前面パネル４には、上面に吸込みグリル１２が形成されているとともに、前面の開口部５の前方に吸込みパネル６が上方部を支点に上方に開閉可能に設置され、その下部に吸込み口１３が開口されている。また、前面パネル４の前面と下面間に配設されている吹出しグリル７には、吹出し口１４が開口されている。
【００１７】
筐体２の内部には、吸込み口１３を含む前面パネル４の前面開口部５および吸込みグリル１２に沿って、エアフィルタ１５および空気浄化フィルタ１６が配設されており、その下流側に室内熱交換器１７が配設されている。室内熱交換器１７は、図２に示されているように、複数の熱交換器１７Ａないし１７Ｄに分割されており、筐体２内の前面下部から上面および背面側にかけて概略Λ形状に折り曲げられて配設されている。
【００１８】
室内熱交換器１７の下流側の空間内には、細長い筒形形状とされたクロスフローファン（送風ファン）１８が水平軸周りに回転自在に配設され、筐体２内の右側部にベース３を介して配設されている図示省略のファンモータにより駆動されるように構成されている。このクロスフローファン１８の下流側前方には、吹出しグリル７と一体成形されたスタビライザ１９が配設されており、該スタビライザ１８とベース３に成形されている空気流路壁９とによって、吹出し口１４に至る吹出し流路２０が形成されている。
【００１９】
吹出しグリル７には、室内熱交換器１７を構成している熱交換器１７Ａないし１７Ｃから流下するドレンを受ける前面側ドレンパン２１が、スタビライザ１９と共に一体に成形されている。また、吹出しグリル７には、吹出し口１４から吹出される温調風の風向を左右方向に調整する複数枚の縦ルーバ（ルーバ）２２が回動可能に配設されるとともに、温調風の風向を上下方向に調整する上下２枚の水平フラップ（フラップ）２３が回動可能に配設されている。
【００２０】
水平フラップ（フラップ）２３には、図３，４に示されるように、両端部に支持部２４が設けられ、該支持部２４には側方に突出されたフラップ支軸（支軸）２５が設けられている。このフラップ支軸２５は、吹出しグリル７の側壁２６に設けられている貫通孔２７に嵌入され、水平フラップ２３を回動可能に支持している。また、吹出しグリル側壁２６の側方部には、ステッピングモータ等のフラップ駆動手段（駆動手段）２８が駆動手段設置部材２９を介して設置されており、該駆動手段２８により駆動される駆動軸３０がフラップ支軸２５側に延長され、該支軸２５と連結されている。
【００２１】
さらに、吹出しグリル側壁２６には、フラップ支軸２５を支持する貫通孔２７の周縁から軸方向外方に延長されたリブ３１が一体に成形されている。このリブ３１は、駆動手段設置部材２９の側面に対して当接する位置まで延長されており、フラップ支軸２５および駆動軸３０の外周を覆っている。なお、リブ３１は、フラップ支軸２５および駆動軸３０の回転抵抗とならないように、該支軸２５および駆動軸３０の外周と微小隙間を存するように設けられている。
【００２２】
以上に説明の構成により、本実施形態によれば、以下の作用効果を奏する。
空気調和機１は、クロスフローファン（送風ファン）１８が回転されることにより、室内の空気を吸込みグリル１２および吸込み口１３を介して筐体２内に吸込んでいる。筐体２内に吸込まれた空気は、エアフィルタ１５および空気浄化フィルタ１６によって浄化された後、室内熱交換器１７に流通され、該室内熱交換器１７を介して冷媒と熱交換されることにより冷却または加熱される。この温調風は、クロスフローファン（送風ファン）１８により付勢され、吹出し流路２０を経て吹出し口１４から室内へと吹出されることによって、室内の空調に供される。
【００２３】
室内に吹出される温調風は、吹出し口１４に設けられている縦ルーバ（ルーバ）２２および水平フラップ（フラップ）２３によって風向が調整され、任意のエリアに向けて吹出されるようになっている。
かかる空調運転時において、冷房時は、室内熱交換器１７で冷却された冷風が吹出し流路２０を経て吹出し口１４から吹出されることになる。このため、冷風中に晒されている縦ルーバ２２および水平フラップ２３は、冷風温度まで冷却され、フラップ支軸２５も同様に冷却される。
【００２４】
この際、水平フラップ２３を駆動する駆動手段２８や駆動手段設置部材２９の周辺に滞留されている比較的暖かい空気が、フラップ支軸２５および駆動軸３０の周りから吹出しグリル側壁２６に設けられている貫通孔２７へと流入されると、フラップ支軸２５の周辺で冷却され、結露の原因となる。
しかるに、本実施形態では、フラップ支軸２５を支持している吹出しグリル側壁２６の貫通孔２７の周縁から軸方向外方に延長されたリブ３１を設け、該リブ３１を駆動手段設置部材２９の側面に対して当接する位置まで延長し、フラップ支軸２５および駆動軸３０の外周を覆うように構成している。
【００２５】
このため、駆動手段２８や駆動手段設置部材２９の周辺に滞留されている比較的暖かい空気が、フラップ支軸２５や駆動軸３０の周りから貫通孔２７へと流入するのを阻止することができる。従って、冷房時、フラップ支軸２５の周りに暖かい空気が流入することにより発生するフラップ支軸２５付近での結露と該結露水の室内への滴下を防止することができる。また、フラップ支軸２５付近での結露を防止できることから、その周辺に対する結露防止用の断熱材の貼り付けを不要とすることができ、従って、断熱材の削減とその貼り付け作業の省略化によってコスト低減を図ることができる。
【００２６】
また、上記リブ３１が吹出しグリル側壁２６に一体に成形されているので、リブ３１を追設することによる部品数あるいは組み立て工数の増加を抑えることができる。これによって、断熱材削減分に見合った組み立て作業の簡素化、省力化を図ることができるとともに、フラップ支軸２５を支持している貫通孔２７への暖かい空気の流入隙間をなくすることができるため、結露の発生を確実に防止することができる。
【００２７】
さらに、リブ３１が、吹出しグリル側壁２６に設けられている貫通孔２７の周縁から軸方向外方に駆動手段設置部材２９の側面に対して当接する位置まで延長されているため、フラップ支軸２５よび駆動軸３０の周りに形成されるリブ３１との間の隙間を、回転抵抗とならないような微小隙間とすることができる。従って、フラップ支軸２５および駆動軸３０周りへの暖かい空気の流入による結露の発生を可及的に抑制することができる。
【００２８】
なお、本発明は、上記実施形態にかかる発明に限定されるものではなく、その要旨を逸脱しない範囲において、適宜変形が可能である。例えば、上記実施形態では、壁掛け形空気調和機１の例について説明したが、他の天井埋込み形や天井吊下げ形の空気調和機にも同様に適用できることはもちろんである。また、フラップ支軸２５は、モータ等駆動手段２８の駆動軸３０に直結された構成としてもよいし、あるいは駆動手段２８から歯車列を介して駆動される駆動軸３０に連結された構成としてもよい。
【００２９】
さらに、２枚の水平フラップ２３は、それぞれ独立した駆動手段により独立して駆動されるようにしてもよいし、あるいは歯車列を介して１つの駆動手段により連動して駆動されるようにしてもよい。また、リブ３１は、吹出しグリル側壁２６に一体成形されている例について説明したが、別部品として成形されたリブを吹出しグリル７の貫通孔２７の周縁に接着した構成としてもよく、これも本発明に含まれることは云うまでもない。
【図面の簡単な説明】
【００３０】
【図１】本発明の一実施形態に係る空気調和機の外観斜視図である。
【図２】図１に示す空気調和機の縦断面図である。
【図３】図１に示す空気調和機の吹出しグリルにおける右側部分の斜視図である。
【図４】図３に示す吹出しグリルの右側部分の水平フラップを支持する支軸部分の断面図である。
【符号の説明】
【００３１】
１  空気調和機
７  吹出しグリル
１４  吹出し口
２３  水平フラップ（フラップ）
２５  フラップ支軸（支軸）
２６  吹出しグリル側壁
２７  貫通孔
２８  駆動手段
２９  駆動手段設置部材
３０  駆動軸
３１  リブ
【図１】
2010112627.tif 000003
【図２】
2010112627.tif 000004
【図３】
2010112627.tif 000005
【図４】
2010112627.tif 000006